(57)【要約】【課題】  防塵ゴムが昇降する移動経路上の側部戸当たり面の上端に防塵ゴムの先端側が接触する防塵ゴムガイドを設けることにより、昇降ゲートの下降の際に側部戸当り面に接触する防塵ゴムの先端側を常に昇降ゲートの外側に向けて曲がるようにガイドすることのできる防塵ゴムガイドを提供することにある。【解決手段】  防塵ゴム４の昇降経路上の側部戸当り面３の上端に、下降する防塵ゴム４の先端側４ａを昇降ゲート１の外側１ａに向けて曲げる防塵ゴムガイド５を設け、防塵ゴムガイド５の上面側５１を半円筒形に形成し、防塵ゴムガイドの幅方向一側端辺５１ａを昇降ゲート１の外側１ａに向けて開く向きにし且つ側部戸当り面３に対して斜めにすると共に幅方向一側端辺５１ａの昇降ゲート内側寄り部分を側部戸当り面３から一部突出させて設け、防塵ゴムガイド５の側部戸当り面３から一部突出する下面側５２を円筒形の一部から形成した。【選択図】        図１
0003107806.tif 000002
【実用新案登録請求の範囲】
【請求項１】
側部戸当り面に向けて昇降ゲートの側端に設けられ該昇降ゲートと一体となって昇降する防塵ゴムの昇降経路上の側部戸当り面の上端に、下降する防塵ゴムの側部戸当り面に接触する先端側を昇降ゲートの外側に向けて曲げる防塵ゴムガイドを設け、下降する防塵ゴムが接触する防塵ゴムガイドの上面側の幅方向断面形状を凸型曲線状に形成しその断面形状を長さ方向に連続して形成し、防塵ゴムガイドの幅方向一側端辺を平面視において昇降ゲートの外側に向けて斜めに開く向きにし且つ側部戸当り面に対して斜めにすると共に側部戸当り面から昇降ゲートの側端に向けて上記幅方向一側端辺の昇降ゲート内側寄り部分を一部突出させて設け、防塵ゴムガイドの側部戸当り面から一部突出する下面側の幅方向断面形状を前記上面側の断面形状に連続する下向きに凸型曲線状の一部から形成しその断面形状を長さ方向の一部に連続して形成したことを特徴とする防塵ゴムガイド。
【請求項２】
側部戸当り面に向けて昇降ゲートの側端に設けられ該昇降ゲートと一体となって昇降する防塵ゴムの昇降経路上の側部戸当り面の上端に、下降する防塵ゴムの側部戸当り面に接触する先端側を昇降ゲートの外側に向けて曲げる防塵ゴムガイドを設け、下降する防塵ゴムが接触する防塵ゴムガイドの上面側を半円筒形に形成し、防塵ゴムガイドの幅方向一側端辺を平面視において昇降ゲートの外側に向けて開く向きにし且つ側部戸当り面に対して斜めにすると共に側部戸当り面から昇降ゲートの側端に向けて上記幅方向一側端辺の昇降ゲート内側寄り部分を一部突出させて設け、防塵ゴムガイドの側部戸当り面から一部突出する下面側を前記上面側の半円筒形に連続する円筒形の一部から形成したことを特徴とする防塵ゴムガイド。
【考案の詳細な説明】
【技術分野】
【０００１】
この考案は、昇降ゲートの側部戸当たり部分の隙間から塵埃が入り込むのを防ぐために昇降ゲートの両側部に設けられた防塵ゴムをガイドする技術に係り、特に、上方の昇降ゲートが下降する際に側部戸当たり面に接触する防塵ゴムの先端側が常に昇降ゲートの外側に向けて曲がるようにガイドする防塵ゴムガイドに関するものである。
【背景技術】
【０００２】
昇降ゲートの側部戸当たり部分の隙間から塵埃が入り込むのを防ぐために、昇降ゲートの両側部には防塵ゴムが設けられている。防塵ゴムはその先端側が側部戸当たり面に接触して塵埃の侵入を防いでいる。側部戸当たり面に接触する防塵ゴムの先端側は曲がっている。この場合、防塵ゴムの先端側が塵埃が侵入する方向に対して昇降ゲートの外側に向かって曲がっていると塵埃は侵入しないが、防塵ゴムの先端側が塵埃が侵入する方向に対して昇降ゲートの内側に向かって曲がっていると塵埃が侵入し易くなる。
【考案の開示】
【考案が解決しようとする課題】
【０００３】
ところで、既設の昇降ゲートの中には、昇降ゲートの両側部に設けられている防塵ゴムが側部戸当たり面に対して垂直になっているものがある。防塵ゴムが側部戸当たり面に対して垂直の場合には、昇降ゲートの下降の際に側部戸当たり面に接触する防塵ゴムの先端側が必ずしも昇降ゲートの外側に向けて曲がるとは限らず、防塵ゴムの先端側が昇降ゲートの内側に向けて曲がることもあり、防塵ゴムの先端側が側部戸当たり面に対して内側に曲がると、塵埃が入り込み易くなり、そして塵埃が入り込むと昇降ゲートの作動や水密性能を阻害するという問題が生じる。
【０００４】
この考案は、上記のような課題に鑑み、その課題を解決すべく創案されたものであって、その目的とするところは、防塵ゴムが昇降する移動経路上の側部戸当たり面の上端に防塵ゴムの先端側が接触する防塵ゴムガイドを設けることにより、昇降ゲートの下降の際に側部戸当り面に接触する防塵ゴムの先端側を常に昇降ゲートの外側に向けて曲がるようにガイドすることのできる防塵ゴムガイドを提供することにある。
【課題を解決するための手段】
【０００５】
以上の目的を達成するために、請求項１の考案は、側部戸当り面に向けて昇降ゲートの側端に設けられ該昇降ゲートと一体となって昇降する防塵ゴムの昇降経路上の側部戸当り面の上端に、下降する防塵ゴムの側部戸当り面に接触する先端側を昇降ゲートの外側に向けて曲げる防塵ゴムガイドを設け、下降する防塵ゴムが接触する防塵ゴムガイドの上面側の幅方向断面形状を凸型曲線状に形成しその断面形状を長さ方向に連続して形成し、防塵ゴムガイドの幅方向一側端辺を平面視において昇降ゲートの外側に向けて斜めに開く向きにし且つ側部戸当り面に対して斜めにすると共に側部戸当り面から昇降ゲートの側端に向けて上記幅方向一側端辺の昇降ゲート内側寄り部分を一部突出させて設け、防塵ゴムガイドの側部戸当り面から一部突出する下面側の幅方向断面形状を前記上面側の断面形状に連続する下向きに凸型曲線状の一部から形成しその断面形状を長さ方向の一部に連続して形成した手段よりなるものである。
【０００６】
また、請求項２の考案は、側部戸当り面に向けて昇降ゲートの側端に設けられ該昇降ゲートと一体となって昇降する防塵ゴムの昇降経路上の側部戸当り面の上端に、下降する防塵ゴムの側部戸当り面に接触する先端側を昇降ゲートの外側に向けて曲げる防塵ゴムガイドを設け、下降する防塵ゴムが接触する防塵ゴムガイドの上面側を半円筒形に形成し、防塵ゴムガイドの幅方向一側端辺を平面視において昇降ゲートの外側に向けて開く向きにし且つ側部戸当り面に対して斜めにすると共に側部戸当り面から昇降ゲートの側端に向けて上記幅方向一側端辺の昇降ゲート内側寄り部分を一部突出させて設け、防塵ゴムガイドの側部戸当り面から一部突出する下面側を前記上面側の半円筒形に連続する円筒形の一部から形成した手段よりなるものである。
【考案の効果】
【０００７】
以上の記載より明らかなように、この考案に係る防塵ゴムガイドによれば、防塵ゴムが昇降する移動経路上の側部戸当たり面の上端に防塵ゴムの先端側が接触する防塵ゴムガイドを昇降ゲートの外側に向けて開いて斜めに設け、さらに一部を側部戸当り面から突出させることにより、昇降ゲートの下降の際に側部戸当り面に接触する防塵ゴムの先端側を常に昇降ゲートの外側に向けて曲がるようにガイドすることができる。これにより、側部戸当り面と昇降ゲートの側端との隙間に塵埃が入り込むのを防いで、塵埃がこの隙間に入り込むことによって生じる昇降ゲートの作動や水密性能を阻害するという事態の発生を未然に防ぐことができる。また、側部戸当り面から一部突出する防塵ゴムガイドの下面側に丸みを帯びさせたので、側部戸当り面から一部突出する防塵ゴムガイドが上昇する防塵ゴムの妨げとなるのを回避することができる等、極めて実用的有益なる効果を奏するものである。
【考案を実施するための最良の形態】
【０００８】
以下、図面に記載の考案を実施するための最良の形態に基づいて、この考案をより具体的に説明する。
ここで、図１は側部戸当り面と昇降ゲートの側端の部分平断面図、図２は防塵ゴムの接触時の防塵ゴムガイドの平面図、図３（Ａ）は防塵ゴムガイドの筒芯方向の正面図、図３（Ｂ）は防塵ゴムガイドの正面図である。
【０００９】
図において、昇降ゲート１は水路に設置されて水路を開閉するもので例えばローラーゲートからなり、ローラーゲートからなる昇降ゲート１は十分な厚みを有する扉体１１の左右両側端１１ａには主ローラー１２が上下に適宜間隔をあけて複数取り付けられている。主ローラー１２は扉体１１の側端１１ａに該扉体１１の幅方向の向きに取り付けられた主軸１２ａに回転自在に取り付けられている。
【００１０】
昇降ゲート１の左右両側には主ローラー１２のガイド溝２が上下方向に形成されている。ガイド溝２は平面からみて断面コ字状に形成されており、断面コ字状のガイド溝２の両内側面には回転する主ローラー１２が接する主ガイドレール２１と副ガイドレール２２がそれぞれ上下方向に設けられている。主ガイドレール２１は水路の下流側ａ寄りに設けられ、副ガイドレール２２は上流側ｂ寄りに設けられている。
【００１１】
ガイド溝２の入口を挟んでその両側には、上下方向に垂直な側部戸当り面３がそれぞれ形成されている。側部戸当り面３は昇降ゲート１の側端１１ａに対して上下向きに平行に形成されている。側部戸当り面３と昇降ゲート１の側端１１ａとの間には隙間が形成されている。
【００１２】
副ガイドレール２２が設けられた側のガイド溝２の内側面と摺動密着する水密ゴム１３が、昇降ゲート１の左右両側端１１ａに上下方向に向けてそれぞれ設けられている。水密ゴム１３は、昇降ゲート１の左右の側端１１ａと側部戸当り面３との隙間から、上流側ｂの水が下流側ａに流出するのを防ぎ、又下流側ａの水や海水が上流側ｂに向けて逆流するのを防ぐ機能を果たす。
【００１３】
昇降ゲート１の左右両側端１１ａには、ガイド溝２の入口を挟んでその両側の側部戸当り面３と適宜接するサイドローラー１４がそれぞれ取り付けられている。サイドローラー１４は上下方向に適宜間隔をあけて複数取り付けられている。サイドローラー１４の軸は主ローラー１２の主軸１２ａに対して直角方向になるように側端１１ａに取り付けられている。サイドローラー１４は昇降ゲート１が側部戸当り面３との隙間によって左右幅方向に変動するのを防ぐ機能を果たす。
【００１４】
昇降ゲート１の左右両側端１１ａの下流側ａに臨む箇所及び上流側ｂに臨む箇所には、防塵ゴム４が側部戸当り面３に向けてそれぞれ取り付けられている。各防塵ゴム４は側端１１ａの上下方向に取り付けられている。防塵ゴム４は、下流側ａ或いは上流側ｂより塵埃が昇降ゲート１の側端１１ａと側部戸当り面３との隙間から入り込んで、主ローラー１２や水密ゴム１３に付着して昇降ゲート１の作動や水密性能を阻害するのを防ぐ機能を果たす。
【００１５】
防塵ゴム４は側部戸当り面３に対して垂直になるように取り付けられている。側端１１ａに取り付けられた防塵ゴム４の長さは、側端１１ａと側部戸当り面３との隙間より長い。このため、防塵ゴム４は側部戸当り面３との接触時にはその先端側４ａは曲がるが、防塵ゴム４は側部戸当り面３に対して垂直なため、そのときによって曲がる方向が変わり一定でない。
【００１６】
この場合、下流側ａに臨む防塵ゴム４の側部戸当り面３と接触する先端側４ａは下流側ａに向けてつまり昇降ゲート１の外側１ａに向けて曲がることが必要となる。また上流側ｂに臨む防塵ゴム４の側部戸当り面３と接触する先端側４ａは上流側ｂに向けてつまり昇降ゲート１の外側１ａに向けて曲がることが必要となる。
【００１７】
つまり、各防塵ゴム４の側部戸当り面３と接触する先端側４ａが昇降ゲート１の内側１ｂに向けて曲がる場合には、塵埃が昇降ゲート１の側端１１ａと側部戸当り面３との隙間に入り込み、昇降ゲート１の作動や水密性能を阻害することになるからである。
【００１８】
このため、各防塵ゴム４の側部戸当り面３と接触する先端側４ａが昇降ゲート１の外側１ａに向けて確実に曲がるように、各防塵ゴム４をガイドする防塵ゴムガイド５が側部戸当り面３の上端に設けられている。防塵ゴムガイド５は、昇降ゲート１と一体となって昇降する各防塵ゴム４の昇降経路上の側部戸当り面３の上端に設けられている。
【００１９】
防塵ゴムガイド５は、下降する防塵ゴム４の側部戸当り面３に接触する先端側４ａを、側部戸当り面３に接触する前に昇降ゲート１の外側１ａに向けて曲げて、その外側１ａに曲げた状態で側部戸当り面３に接触させる機能を果たす。
【００２０】
防塵ゴムガイド５は平面視において所定の長さと幅とを有しており、下降する防塵ゴム４が接触する防塵ゴムガイド５の上面側５１はその幅方向断面形状が凸型曲線状に形成されその断面形状が長さ方向に連続して形成されている。幅方向断面形状が凸型曲線状として、半円弧状、半楕円弧状、或いは半弧状等がある。図面では防塵ゴムガイド５の上面側５１は幅方向断面形状が半円弧状の半円筒形から形成されている。
【００２１】
防塵ゴムガイド５はその幅方向一側端辺５１ａが平面視において昇降ゲート１の外側１ａに向けて斜めに開く向きになっている。図面では上側が昇降ゲート１の外側１ａとなる下流側ａであるが、防塵ゴムガイド５の幅方向一側端辺５１ａが昇降ゲート１の外側１ａに臨むように斜めになっている。つまり、図面では幅方向一側端辺５１ａの先端側が左側に傾いている。
【００２２】
また、昇降ゲート１の外側１ａに向かって斜めに開いている防塵ゴムガイド５の幅方向一側端辺５１ａは、平面視において同時に側部戸当り面３に対して斜めになっている。側部戸当り面３に対して斜めになっている防塵ゴムガイド５は、側部戸当り面３から昇降ゲート１の側端１１ａに向けて、幅方向一側端辺５１ａの昇降ゲート１の内側寄り部分５１ｂが一部突出している。図面では昇降ゲート１の内側寄り部分５１ｂの端部が最大で半分程度、側部戸当り面３から側端１１ａに向けて突出している。
【００２３】
防塵ゴムガイド５の側部戸当り面３から一部突出する下面側５２は、その幅方向断面形状が前記上面側５１の断面形状に連続する下向きに凸型曲線状の一部から形成されその断面形状が長さ方向の一部に連続して形成されている。下面側５２の幅方向断面形状が部分凸型曲線状として、上面側５１と同様に半円弧状、半楕円弧状、或いは半弧状等がある。
【００２４】
下面側５２では側部戸当り面３に当たる箇所は切断されているため、図面では防塵ゴムガイド５の下面側５２は幅方向断面形状が下向きに円弧状の一部となる円筒形の一部から形成されている。つまり下面側５２の円筒形の形状部分は僅かである。
【００２５】
上面側５１が例えば半円筒形の防塵ゴムガイド５は平面からみて長方形の基板５３に斜めに固設されている。防塵ゴムガイド５が斜めに固設された基板５３にはボルト孔が例えば長さ方向の両端側にそれぞれ形成されていて、側部戸当り面３の上端から一部突出するボルト５４の上端側にボルト孔を填め入れてナット５５により締め付けて、防塵ゴムガイド５は側部戸当り面３の上端に固定されている。
【００２６】
次に、上記考案を実施するための最良の形態の構成に基づく作用について以下説明する。
ゲートを開口して上方に位置していた昇降ゲート１を下降させると、下降する昇降ゲート１の扉体１１の左右両側端１１ａにそれぞれ設けられている防塵ゴム４は、防塵ゴム４の昇降経路上の側部戸当り面３の上端に設けられた防塵ゴムガイド５の例えば半円筒形の上面側５１にその下端側が接触する。
【００２７】
上面側５１が例えば半円筒形の防塵ゴムガイド５は昇降ゲート１の外側１ａに向けて斜めに開いて側部戸当り面３の上端に設けられており、又上面側５１の一部が側部戸当り面３から側端１１ａに向けて突出しているため、下降して防塵ゴムガイド５の上面側５１に接触した防塵ゴム４の下端側の先端側４ａは、昇降ゲート１の外側１ａに向けて曲げられる。
【００２８】
防塵ゴム４の下端側の先端側４ａが昇降ゲート１の外側１ａに向けて曲げられると、これに続く防塵ゴム４の下端側より上側に位置する先端側４ａも防塵ゴムガイド５の上面側５１に接触することで連続的に昇降ゲート１の外側１ａに向けて曲げられる。防塵ゴム４が下流側ａに臨む位置に取り付けられている場合には先端側４ａは昇降ゲート１の外側１ａとなる下流側ａに向けて曲げられる。同様に、防塵ゴム４が上流側ｂに臨む位置に取り付けられている場合には先端側４ａは昇降ゲート１の外側１ａとなる上流側ｂに向けて曲げられる。
【００２９】
そして、昇降ゲート１の外側１ａに向けて曲げられた防塵ゴム４の先端側４ａは、外側１ａに向けて曲げられた状態で側部戸当り面３の表面に接触し、接触した状態で下降する昇降ゲート１と一体となって側部戸当り面３の下端側に向かって下降する。昇降ゲート１がゲート下端で停止したとき、防塵ゴム４の先端側４ａは昇降ゲート１の外側１ａに向けて曲がった状態で側部戸当り面３の表面に接触している。このため、昇降ゲート１の外側１ａとなる下流側ａや上流側ｂから塵埃が側部戸当り面３と昇降ゲート１の側端１１ａとの間に侵入するのを防ぐことができる。
【００３０】
これに対して、ゲートを開くために閉じていた昇降ゲート１を上昇させると、昇降ゲート１の扉体１１の左右両側端１１ａに設けられている防塵ゴム４も一体となって上昇する。上昇する各防塵ゴム４は曲げられている先端側４ａの上端の一部がその上方に斜めに一部突出した状態で側部戸当り面３の上端に設けられている各防塵ゴムガイド５の下面側５２に接触する。
【００３１】
各防塵ゴムガイド５の下面側５２は例えば円筒形の一部から形成されているため、上昇する各防塵ゴム４は曲げられている先端側４ａの上端の一部が各防塵ゴムガイド５の下面側５２に引っ掛かることがなく、又これに続く下側の先端側４ａの一部も同様にスムーズに上昇し、側部戸当り面３から一部突出する防塵ゴムガイド５が上昇する防塵ゴム４の妨げとなるのを回避することができる。
【００３２】
なお、この考案は上記考案を実施するための最良の形態に限定されるものではなく、この考案の精神を逸脱しない範囲で種々の改変をなし得ることは勿論である。
【図面の簡単な説明】
【００３３】
【図１】この考案を実施するための最良の形態を示す側部戸当り面と昇降ゲートの側端の部分平断面図である。
【図２】この考案を実施するための最良の形態を示す防塵ゴムの接触時の防塵ゴムガイドの平面図である。
【図３】（Ａ）はこの考案を実施するための最良の形態を示す防塵ゴムガイドの筒芯方向の正面図である。  （Ｂ）はこの考案を実施するための最良の形態を示す防塵ゴムガイドの正面図である。
【符号の説明】
【００３４】
１    昇降ゲート
１ａ  外側
１ｂ  内側
１１    扉体
１１ａ  側端
１２    主ローラー
１２ａ  主軸
１３    水密ゴム
１４    サイドローラー
２    ガイド溝
２１    主ガイドレール
２２    副ガイドレール
３    側部戸当り面
４    防塵ゴム
４ａ  先端側
５    防塵ゴムガイド
５１    上面側
５１ａ  幅方向一側端辺
５１ｂ  内側寄り部分
５２    下面側
５３    基板
５４    ボルト
５５    ナット
ａ    下流側
ｂ    上流側
【図１】
0003107806.tif 000003
【図２】
0003107806.tif 000004
【図３】
0003107806.tif 000005